(57)【要約】【課題】簡単な構成で横桟からベース板を通して屋根面に打設した固着具から雨水が浸入するのを防止する。【解決手段】横桟２の水下側の側面部２ａの下端から水下側に向けて水下側突片６を突設すると共に、横桟２の水上側の側面部２ｂの下端の上記水下側突片６と対応する部位から水上側に向けて水上側突片７を突設する。ベース板３の上面の水上側に横桟２の水下側突片６及び水上側突片７を載置した状態で、水下側突片６からベース板３を通して屋根面１に打設した固着具４によりベース板３と横桟２とを屋根面１に固着する。横桟２の水上側突片７の上面に水上側に位置する別のベース板３の水下側端部を重複する。【選択図】図１
2010053544.tif 000002
【特許請求の範囲】
【請求項１】
屋根面に、上面の水上側端部に横桟を配置した複数のベース板を、少なくとも水勾配方向に複数敷設して、横桟からベース板を通して屋根面に打設した固着具によりベース板と横桟とを屋根面に固着し、水勾配方向に隣合う横桟間に機能パネルを架け渡して横桟に取付ける屋根面への機能パネルの取付け構造であって、上記横桟の水下側の側面部の下端から水下側に向けて水下側突片を突設すると共に、横桟の水上側の側面部の下端の上記水下側突片と対応する部位から水上側に向けて水上側突片を突設し、ベース板の上面の水上側に上記横桟の水下側突片及び水上側突片を載置した状態で、水下側突片からベース板を通して屋根面に打設した固着具によりベース板と横桟とを屋根面に固着し、上記ベース板の水上側端部に上記横桟の水上側突片を介して水上側に位置する別のベース板の水下側端部を重複して成ること特徴とする屋根面への機能パネルの取付け構造。
【請求項２】
屋根面に、上面の水上側端部に横桟を配置した複数のベース板を、少なくとも水勾配方向に複数敷設して、横桟からベース板を通して屋根面に打設した固着具によりベース板と横桟とを屋根面に固着し、水勾配方向に隣合う横桟間に機能パネルを架け渡して横桟に取付ける屋根面への機能パネルの取付け構造であって、上記横桟の水上側の側面部の下端から水上側に向けて水上側突片を突設し、ベース板の上面の水上側に上記横桟の水上側突片を載置した状態で、水上側突片からベース板を通して屋根面に打設した固着具によりベース板と横桟とを屋根面に固着し、上記ベース板の水上側端部に上記横桟の水上側突片を介して水上側に位置する別のベース板の水下側端部を重複して成ること特徴とする屋根面への機能パネルの取付け構造。
【請求項３】
横桟の長手方向の一部に水を流すための排水空間が設けてあり、水上側突片の横桟の長手方向と平行な方向の端部が上記排水空間の端部に臨んでいることを特徴とする請求項１又は請求項２記載の屋根面への機能パネルの取付け構造。
【請求項４】
ベース板が平板であることを特徴とする請求項１乃至請求項３のいずれか一項に記載の屋根面への機能パネルの取付け構造。
【発明の詳細な説明】
【技術分野】
【０００１】
本発明は、太陽電池モジュールのような機能パネルを屋根面に取付けるための屋根面への機能パネルの取付け構造に関するものである。
【背景技術】
【０００２】
従来から、太陽電池モジュールのような機能パネルを屋根面に取付ける構造としては、例えば、特許文献１が知られている。
【０００３】
上記特許文献１に示された従来例にあっては、ベース板の水上側端部を除いた部分に水勾配方向に沿って上面側に凸曲した突条部を左右方向に複数列形成し、突条部の上に横桟を載置した状態で、横桟の水下側の側面部の下端から水下側に向けて突設した水下側突片からベース板を通して屋根面に固着具を打入してベース板と横桟とを屋根面に固着し、ベース板の水上側端部の突条や谷部を形成していない部分に、水上側の別のベース板の水下側端部を重ね、屋根の水勾配方向に隣合う横桟間に機能パネルを架け渡して横桟に取付けるようにしていた。
【０００４】
この従来例においては、ベース板の上面側に流入した雨水を突条と突条との間の谷部を介して排水するようにすることで、横桟とベース板とを屋根面に固着している固着具に沿って雨水が浸入しないようにしており、突条を形成した複雑な形状のベース板が必要であり、ベース板のコストが高くなるという問題があり、また、寄棟屋根などの場合、ベース板の端部を下り棟に沿って敷設しようとすると、ベース板の側端部を突条部分を斜めに横切るように切断する必要があるが、現場で上記突条部分を斜めに横切るように切断する作業が面倒であり、しかも、複数の谷部が斜めに切断した切断端部に露出することになり、多くの雨水が下り棟に沿って流れることになり、下り棟側における水仕舞が複雑になるという問題があった。
【０００５】
しかも、引用文献においては、上記のように突条を設けて突条間の谷部を介して雨水を排水することを基本にしていると言えども、ベース板の水上側端部の突条や谷部を形成していない部分に、水上側の別のベース板の軒側の端部を重ねるものであるため、水上側の別のベース板の軒側の端部から流れた雨水が水下側のベース板の軒側と反対側の端部の突条や谷部を形成していない部分に流れ、このベース板の軒側と反対側の端部の突条や谷部を形成していない部分から大部分は谷部に流れるが、雨水の一部は、突条の軒と反対側の端部の傾斜面に沿って突条の上面に流れ、更に、突条の上面と横桟の下面との間に流れ込み、水下側突片からベース板を通して屋根面に固着している固着具に沿って雨水が屋根面や屋根面の裏側に浸入するという問題があった。
【０００６】
また、従来は板金製のベース板にアルミニウム製の横桟を鋲により取付けているが、この鋲の取付け部分からも、突条の上面と横桟の下面との間に流れ込んだ雨水が屋根面に浸入し、屋根面が屋根材を葺かない屋根下地で構成してある場合には屋根下地に雨水が浸入するという問題があった。
【特許文献１】特開２００６−１９３９７６号公報
【発明の開示】
【発明が解決しようとする課題】
【０００７】
本発明は上記の従来の問題点に鑑みて発明したものであって、簡単な構成で横桟からベース板を通して屋根面に打設した固着具から雨水が浸入するのを防止することができ、また、ベース板として平板を用いても問題がなく、コストが安く且つ施工が容易な屋根面への機能パネルの取付け構造を提供することを課題とするものである。
【課題を解決するための手段】
【０００８】
上記課題を解決するために本発明に係る屋根面への機能パネルの取付け構造は、屋根面１に、上面の水上側端部に横桟２を配置した複数のベース板３を、少なくとも水勾配方向に複数敷設して、横桟２からベース板３を通して屋根面１に打設した固着具４によりベース板３と横桟２とを屋根面１に固着し、水勾配方向に隣合う横桟２間に機能パネル５を架け渡して横桟２に取付ける屋根面１への機能パネル５の取付け構造であって、上記横桟２の水下側の側面部２ａの下端から水下側に向けて水下側突片６を突設すると共に、横桟２の水上側の側面部２ｂの下端の上記水下側突片６と対応する部位から水上側に向けて水上側突片７を突設し、ベース板３の上面の水上側に上記横桟２の水下側突片６及び水上側突片７を載置した状態で、水下側突片６からベース板３を通して屋根面１に打設した固着具４によりベース板３と横桟２とを屋根面１に固着し、上記ベース板３の水上側端部に上記横桟２の水上側突片７を介して水上側に位置する別のベース板３の水下側端部を重複して成ること特徴とするものである。
【０００９】
このような構成とすることで、機能パネル５の下方に浸入した雨水は、ベース板３上を水下側に流れるのであるが、水上側に位置するベース板３の水下側端部から、水下側に位置するベース板３の水上側端部に流れる際、水上側に位置するベース板３の水下側端部から、水下側に位置するベース板３の水上側端部に配設した横桟２の水上側の側面部２ｂに当たり、横桟２の水上側の側面部２ｂに沿って横に流れて、横桟２の水上側の側面部２ｂの端からベース板３上を水下側に流れることになる。この場合、横桟２の水上側の側面部２ｂの下端の上記水下側突片６と対応する部位から水上側に水上側突片７を突設し、横桟２の水上側突片７の上面に水上側に位置する別のベース板３の水下側端部を重複してあるので、水勾配の関係で横桟２の水上側突片７が、横桟２の水上側の側面部２ｂよりもレベルが高く、したがって、横桟２の水上側の側面部２ｂに沿って横に流れる雨水が水上側突片７の水上側端部を回りこんで当該水上側突片７とベース板３との間に浸入し、水下側突片６とベース板３とを屋根面１に固着している固着具４部分に雨水が至ることがなく、固着具４の固着部分から雨水が浸入することがない。
【００１０】
また、屋根面１に、上面の水上側端部に横桟２を配置した複数のベース板３を、少なくとも水勾配方向に複数敷設して、横桟２からベース板３を通して屋根面１に打設した固着具４によりベース板３と横桟２とを屋根面１に固着し、水勾配方向に隣合う横桟２間に機能パネル５を架け渡して横桟２に取付ける屋根面１への機能パネル５の取付け構造であって、上記横桟２の水上側の側面部の下端から水上側に向けて水上側突片７を突設し、ベース板３の上面の水上側に上記横桟２の水上側突片７を載置した状態で、水上側突片７からベース板３を通して屋根面１に打設した固着具４によりベース板３と横桟２とを屋根面１に固着し、上記ベース板３の水上側端部に上記横桟２の水上側突片７を介して水上側に位置する別のベース板３の水下側端部を重複して成ること特徴とするものであってもよい。
【００１１】
このような構成とすることで、機能パネル５の下方に浸入した雨水は、ベース板３上を水下側に流れるのであるが、水上側に位置するベース板３の水下側端部から、水下側に位置するベース板３の水上側端部に流れる際、水上側に位置するベース板３の水下側端部から、水下側に位置するベース板３の水上側端部に配設した横桟２の水上側の側面部２ｂに当たり、横桟２の水上側の側面部２ｂに沿って横に流れて、横桟２の水上側の側面部２ｂの端からベース板３上を水下側に流れることになる。この場合、横桟２の水上側の側面部２ｂの下端の上記水下側突片６と対応する部位から水上側に水上側突片７を突設し、横桟２の水上側突片７の上面に水上側に位置する別のベース板３の水下側端部を重複してあるので、水勾配の関係で横桟２の水上側突片７が、横桟２の水上側の側面部２ｂよりもレベルが高く、したがって、横桟２の水上側の側面部２ｂに沿って横に流れる雨水が水上側突片７とベース板３とを屋根面１に固着している固着具４部分に雨水が至ることがなく、固着具４の固着部分から雨水が浸入することがない。
【００１２】
また、横桟２の長手方向の一部に水を流すための排水空間８が設けてあり、水上側突片７の横桟２の長手方向と平行な方向の端部が上記排水空間８の端部に臨んでいることが好ましい。
【００１３】
このような構成とすることで、横桟２の水上側の側面部２ｂに沿って横に流れる雨水を、横桟２の長手方向の一部に設けた排水空間８からベース板３上を水下側にスムーズに流すことができ、この場合、水上側突片７の横桟２の長手方向と平行な方向の端部が上記排水空間８の端部に臨んでいるので、横桟２とベース板３との間に雨水が浸入しないようにできる。
【００１４】
また、ベース板３が平板であることが好ましい。
【００１５】
このような構成とすることで、ベース板３の構成が簡略化し、コストが安く且つ施工が容易となる。
【発明の効果】
【００１６】
本発明は、上記のように、横桟の水上側の側面部の下端の上記水下側突片と対応する部位から水上側に向けて水上側突片を突設し、水下側突片からベース板を通して屋根面に打設した固着具によりベース板と横桟とを屋根面に固着し、上記横桟の水上側突片の上面に水上側に位置する別のベース板の水下側端部を重複するので、簡単な構成で水下側突片からベース板を通して屋根面に打設した固着具から雨水が浸入するのを防止することができる。
【００１７】
また、水上側突片からベース板を通して屋根面に打設した固着具によりベース板と横桟とを屋根面に固着し、上記横桟の水上側突片の上面に水上側に位置する別のベース板の水下側端部を重複するものにおいては、簡単な構成で水上側突片からベース板を通して屋根面に打設した固着具から雨水が浸入するのを防止することができる。
【００１８】
また、横桟の長手方向の一部に水を流すための排水空間が設けてあり、水上側突片の横桟の長手方向と平行な方向の端部が上記排水空間の端部に臨ませることで、横桟の水上側の側面部に沿って横に流れる雨水を、横桟の長手方向の一部に設けた排水空間からベース板上を水下側にスムーズに流すことができ、この場合、水上側突片の横桟の長手方向と平行な方向の端部が上記排水空間の端部に臨んでいるので、横桟とベース板との間に雨水が浸入しないようにでき、固着具の固着部分からの雨水の浸入を防止すると共に雨水の滞留を防ぐことができる。
【００１９】
また、ベース板が平板であると、ベース板の構成が簡略化してベース板の製作に大型プレスを必要とせず、また、通常市販されている金属板を使用できて、コストが安く且つ施工が容易となる。
【発明を実施するための最良の形態】
【００２０】
以下、本発明を添付図面に示す実施形態に基いて説明する。
【００２１】
ベース板３は平板よりなる金属板で形成してある。
【００２２】
また、軒先ベース板３’はベース板３よりの水勾配方向（軒棟方向）の巾が狭い帯状金属板で形成してある。
【００２３】
横桟２は例えばアルミニウムの成形品で形成してある。図８には横桟２の一実施形態が示してあり、横桟２の水下側の側面部２ａの下端から水下側に向けて水下側突片６を突設すると共に、横桟２の水上側の側面部２ｂの下端の上記水下側突片６と対応する部位から水上側に向けて水上側突片７を突設してある。また、横桟２の長手方向の１乃至複数個所には、横桟２の下端から上下方向の略中間部分又は上部にかけて切欠してあって、水上側、水下側に開口する排水空間８が形成してある。ここで、上記水上側突片７の横桟２の長手方向と平行な方向の端部が上記排水空間８の端部に臨んでいる。
【００２４】
また、軒先横桟２’は、例えばアルミニウムの成形品で形成してあり、軒先横桟２’の水上側の側面部２ｂの下端の上記水下側突片６と対応する部位から水上側に向けて水上側突片７を突設してある。また、軒先横桟２’の上部の水上側の角部は段落してあって、機能パネル支持部９が形成してある。また、軒先横桟２’の長手方向の１乃至複数個所には、軒先横桟２’の下端から上下方向の略中間部分又は上部にかけて切欠してあって、水上側、水下側に開口する排水空間８が形成してある。ここで、上記水上側突片７の軒先横桟２’の長手方向と平行な方向の端部が上記排水空間８の端部に臨んでいる。
【００２５】
上記の構成の横桟２は前述のベース板３の上面に、軒先側横桟２’は前述の軒先ベース板３’の上面にそれぞれ任意の取着手段２１により横桟２が取着してある。横桟２、軒先横桟２’を取着するための取着手段２１としては、例えば、コーキング剤、両面粘着テープのような防水テープ等を挙げることができるが、必ずしもこれにのみ限定されるものではない。
【００２６】
横桟２は図７のようにベース板３の上面の水上側端部に取着手段２１により取着されるが、ベース板３の上面の水上側（棟側）に上記横桟２の水下側突片６及び水上側突片７を載置して取着する際、水上側突片７の水上端がベース板３の水上端よりも少し水下側にずれるような位置関係となるように取着する。また、横桟２の長手方向（軒と平行な方向）の両端部はそれぞれベース板３の水勾配と直交する方向（軒と平行な方向）の両端部よりも少し内側に引き込んで位置している。
【００２７】
また、軒先側横桟２’は、軒先ベース板３’に取着されるが、軒先ベース板３’の水上側突片７の水上端が軒先ベース板３’の水上端よりも少し水下側にずれるような位置関係となるように取着する。また、軒先側横桟２’の長手方向（軒と平行な方向）の両端部はそれぞれ軒先ベース板３’の水勾配と直交する方向（軒と平行な方向）の両端部よりも少し内側に引き込んで位置している。また、軒先側横桟２’の長手方向の少なくとも一方の端部は、軒先ベース板３’と取着せず単に載置している状態とする。
【００２８】
上記のように、上面に軒先側横桟２’を配設した軒先ベース板３’、上面に横桟２を配設したベース板３を、屋根面１に敷設し（この場合、少なくとも水勾配方向にはベース板３を複数枚敷設する）、横桟２、軒先側横桟２’の水下側突片６から固着具４を打設してベース板３（軒先ベース板３’）を通して屋根面１に固着し、屋根面１の水勾配方向に隣合う横桟２間に機能パネル５を架け渡して横桟２を取付けるようになっている。
【００２９】
施工に当たっては、以下のようにして行う。
【００３０】
まず、図９（ａ）に示すように、屋根面１の軒先側端部に沿って上面に軒先側横桟２’を配設した軒先ベース板３’を軒に沿って敷設し、軒先側横桟２’の水上側突片７からベース板３を通して屋根面１に固着具４を打設して、ベース板３と軒先側横桟２’とを屋根面１に固着する。添付図面に示す実施形態では、軒先に沿って複数の軒先ベース板３’を一列に敷設する。この場合、軒先と平行な方向に沿って隣接する一方の軒先ベース板３’の端部上に他方の軒先ベース板３’の端部を重ねると共に、一方の軒先ベース板３’の端部上面と軒先側横桟２’の端部との間に差し込んで両軒先側横桟２’の長手方向の端部同士を突き合わせる。
【００３１】
次に、図９（ｂ）に示すように、１段目のベース板３の水下側端部を軒先ベース板３’の水上側端部に重ねる。この場合、１段目のベース板３の水下側端部は更に軒先ベース板３’の水上側突片７を覆うように重ねて、当該水上側突片７に打ち込んだ固着具４を覆う。この状態で、横桟２の水下側突片６からベース板３を通して屋根面１に固着具４を打設して、１段目のベース板３と横桟２とを屋根面１に固着する。添付図面に示す実施形態では、１段目のベース板３を軒と平行に複数一列に敷設する。この場合、軒と平行な方向に沿って隣接する一方の１段目のベース板３の端部上に他方の１段目のベース板３の端部を重ねると共に、一方の１段目のベース板３の端部上面と横桟２の端部との間に差し込んで両横桟２の長手方向の端部同士を突き合わせる。
【００３２】
次に、上記屋根面１に載設固着した１段目のベース板３の水上側端部の上に、２段目のベース板３の水下側端部を重ねる。この場合、２段目のベース板３の水下側端部は更に１段目のベース板３の水上側突片７を覆うように重ねて、当該水上側突片７に打ち込んだ固着具４を覆う。この状態で、２段目のベース板３に取着している横桟２の水下側突片６からベース板３を通して屋根面１に固着具４を打設して、２段目のベース板３と横桟２とを屋根面１に固着する。添付図面に示す実施形態では、１段目のベース板３を軒と平行に複数一列に敷設する。この場合、軒と平行な方向に沿って隣接する一方の２段目のベース板３の端部上に他方の２段目のベース板３の端部を重ねると共に、一方の２段目のベース板３の端部上面と横桟２の端部との間に差し込んで両横桟２の長手方向の端部同士を突き合わせる。
【００３３】
同様にして３段目、４段目……Ｎ段目のベース板３を敷設して図９（ｃ）のようにする。
【００３４】
次に、図９（ｄ）のように、各段のベース板３のうち軒と平行な方向の端部上に一端部に水返し部１５を有する捨て水切板１６を載置し、該捨て水切板１６の片側半部をベース板３端部上面と横桟２の端部との間に差し込む。なお、ベース板３の他の片側半部上には後で図４のように屋根材１４が載設される。
【００３５】
次に、図９（ｅ）のように、軒先ベース板３’上に配設した横桟２上に軒先カバー１１を固着具４により仮止めする。
【００３６】
次に、図１０（ａ）のように、軒先ベース板３’に設けた横桟２の水上側角部に設けた機能パネル支持部９と、１段目のベース板３に設けた横桟２の水下側角部に設けた機能パネル支持部９に機能パネル５の水下側端部及び水上側端部を載設支持する。その後、図１０（ｂ）のように軒先カバー１１を本固定して最下段の機能パネル５の水下側端部を軒先カバー１１により押圧する。
【００３７】
次に、図１０（ｃ）のように、１段目の横桟２上に中間カバー１２を固着具４により仮止めする。
【００３８】
次に、図１０（ｄ）のように、１段目のベース板３に設けた横桟２の水上側角部と、２段目のベース板３に設けた横桟２の水上側角部に設けた機能パネル支持部９に機能パネル５の水下側端部及び水上側端部を載設支持する。その後、図１１（ａ）のように、上記仮止めしていた中間カバー１２を固着して機能パネル５の水下側端部を中間カバー１２により押圧する。
【００３９】
同様にして次々と機能パネル５、中間カバー１２を取付け、その後、図１１（ｂ）のように、軒と平行な方向の端部に位置する機能パネル５の端部と、捨て水切板１６との間の隙間を側カバー１７により塞ぎ、側カバー１７を横桟２の端部上に載設して固着具４により取付ける。
【００４０】
次に、図１１（ｃ）のように、最上段に位置するベース板３上に配設した横桟２上にジャンプ台１３の水下側端部を固着具４により取付ける。ここで、ジャンプ台１３の水上側端部は屋根面１上に載設され、このジャンプ台１３の水上側端部の上に後工事で図３に示すように屋根材１４が載設される。
【００４１】
次に、図１１（ｄ）のように、ジャンプ台１３の水下側端部と最上段の機能パネル５の水上側端部上面を覆うように中間カバー１２を横桟２に固着具４により取付ける。
【００４２】
機能パネル５としては、例えば太陽電池モジュールを挙げることができるが、これにのみ限定されず、屋根面１上に載設するものであれば他のものであってもよい。
【００４３】
また、添付図面に示す実施形態においては、屋根面１におけるベース板３、軒先ベース板３’を敷設する部分は屋根材１４を葺いていない状態（つまり、構造用合板のような屋根下地材１８の上に防水シート１９を葺設した状態）としているが、ベース板３、軒先ベース板３’を敷設する部分も屋根材１４を葺設してあってもよい。
【００４４】
上記のような構成において、横桟２の機能パネル５の載設支持部分、機能パネル５の端部間から機能パネル５の下方に雨水が浸入することがある。浸入した雨水は、ベース板３上を流れるのであるが、水上側に位置するベース板３の水下側端部から、水下側に位置するベース板３の水上側端部に流れる際、図６矢印イに示すように、水上側に位置するベース板３の水下側端部から、水下側に位置するベース板３の水上側端部に配設した横桟２の水上側の側面部２ｂに当たり、図６矢印ロに示すように横桟２の水上側の側面部２ｂに沿って水上側の側面部２ｂと水上側突片７のなすコーナ部分を横に流れて、図６矢印ハに示すように横桟２の水上側の側面部２ｂの端から排水空間８を通ってベース板３上を水下側に流れる。
【００４５】
この場合、水勾配の関係で横桟２の水上側突片７が、横桟２の水上側の側面部２ｂよりもレベルが高いため、横桟２の水上側の側面部２ｂに沿って横に流れる雨水は、水上側突片７の水上側端部に至ることなく、横桟２の水上側の側面部２ｂに沿って横に流れ、機能パネル５の下方の空間は風の影響を受けないので、排水空間８を通ってベース板３上面を水下側（軒側）に重力の作用で真っ直ぐに流下する。
【００４６】
ここで、横桟２の水上側の側面部２ｂの下端から水上側に突出している水上側突片７が固着具４を打入している水下側突片６と対応する位置に設けてあるので、横桟２の水上側の側面部２ｂに沿って横に流れる雨水が水上側突片７の水上側端部を回りこんで当該水上側突片７とベース板３との間に浸入して、水下側突片６とベース板３とを屋根面１に固着している固着具４部分に至ることがない。したがって、コーキング剤、両面粘着テープのような防水テープ等の取着手段２２により水下側突片６をベース板３に取着してあるといえど、この取着は部分的であって、防水が確実であるとは言えない水下側突片６に打入した固着具４の固着部分に水が浸入することがなく、固着具４の固着部分から雨水が屋根面１側に浸入することがない。
【００４７】
排水空間８を通ってベース板３上面を水下側（軒側）に重力の作用で真っ直ぐに流下した雨水は、最終的には軒先ベース板３’上に配設した横桟２に設けた排水空間８を通って軒先より排水される。この場合、雨水の一部が軒先ベース板３’上に配設した横桟２の側面部２ｂに当たっても、該横桟２の側面部２ｂに沿って横に流れて、排水空間８を通って軒先ベース板３’上面から軒先に排水される。
【００４８】
軒先ベース板３’上に配設した横桟２の水上側突片７に固着具４を打入して固着してあるが、水勾配の関係で横桟２の水上側突片７が、横桟２の水上側の側面部２ｂよりもレベルが高いため、横桟２の水上側の側面部２ｂに沿って横に流れる雨水は、水上側突片７の固着具４の打入部分に至ることなく、横桟２の水上側の側面部２ｂに沿って横に流れ、排水空間８を通って軒先ベース板３’上面から軒先に排水され、軒先ベース板３’上に配設した横桟２の固着具４の打入部分から雨水が浸入するのを防止できる。
【００４９】
ところで、横桟２の水下側の側面部２ａの下端から水下側に向けて水下側突片６を突設すると共に、横桟２の水上側の側面部２ｂの下端の上記水下側突片６と対応する部位から水上側に向けて水上側突片７を突設するという本発明の構成において、水上側突片７は軒と平行な方向の長さが水下側突片６の軒と平行な方向の長さと等しいか又は長く、且つ、水上側突片７の両端部がそれぞれ水下側突片６の両端部と軒と平行な方向において揃っているか又は水上側突片７の両端部がそれぞれ水下側突片６の両端部よりもいずれも軒と平行な方向の外側に向けて突出している。
【００５０】
図７には、水上側突片７の軒と平行な方向の長さが水下側突片６の軒と平行な方向の長さよりも長く、且つ、水上側突片７の両端部がそれぞれ水下側突片６の両端部よりもいずれも軒と平行な方向の外側に向けて突出している例を示している。この例の場合は、水上側突片７の両端部から排水空間８を通ってベース板３上面を水下側（軒側）に重力の作用で真っ直ぐに流下する際、水下側突片６の軒と平行な方向の両端部に触れることなく流下することになり、よりいっそう水下側突片６に打入した固着具４の固着部分から雨水が屋根面１側に浸入することがない。
【００５１】
図１２には本発明の他の実施形態が示してある。前述の実施形態においては、ベース板３の上面の水上側端部に載設する横桟２に水下側突片６と水上側突片７とを設け、水下側突片６から打入した固着具４の固着部分から雨水が浸入しないように、水下側突片６と対応する位置に水上側突片７を設けた例を示したが、本実施形態においては、図１２示すように、ベース板３の上面に配設する横桟２の水上側の側面部の下端から水上側に向けて水上側突片７を突設し、ベース板３の上面の水上側に上記横桟２の水上側突片７を載置した状態で、水上側突片７からベース板３を通して屋根面１に打設した固着具４によりベース板３と横桟２とを屋根面１に固着し、上記横桟２の水上側突片７の上面に水上側に位置する別のベース板３の水下側端部を重複するようにした構成に特徴がある。本実施形態は上記の構成が前述の実施形態と異なり、他の構成は同じなので、同じ構成の説明は省略する。
【００５２】
本実施形態においては、機能パネル５の下方に浸入した雨水は、水上側に位置するベース板３の水下側端部から、水下側に位置するベース板３の水上側端部に流れる際、水上側に位置するベース板３の水下側端部から、水下側に位置するベース板３の水上側端部に配設した横桟２の水上側の側面部２ｂに当たり、横桟２の水上側の側面部２ｂに沿って横に流れて、横桟２の水上側の側面部２ｂの端からベース板３上を水下側に流れる。したがって、横桟２の水上側の側面部２ｂに沿って横に流れる雨水が水上側突片７とベース板３とを屋根面１に固着している固着具４部分に雨水が至ることがなく、固着具４の固着部分から雨水が浸入することがない。
【００５３】
また、図１３には本発明の他の実施形態が示してある。本実施形態においては、寄棟屋根に機能パネル５を取付ける例が示してある。
【００５４】
本実施形態においては、水勾配方向に隣合うベース板３を軒と平行な方向にずらし、軒と平行な方向の端部が階段状となるように葺設してある。そして、本実施形態においては、複数のベース板３の階段状となった軒と平行な方向の端部の水上側端部を入隅カバー２０で覆って、この部分に雨水が浸入しないようになっており、上記の構成が前述の各実施形態と異なり、他の構成は前述の各実施形態と同様であるので説明は省略する。
【００５５】
また、図１４には本発明の他の実施形態が示してある。
【００５６】
前述の各実施形態においては、横桟２の上部の水下側の角部、水上側の角部に設けた機能パネル支持部９の段落の深さが同じ深さであって、図１に示すように、水勾配方向に隣会う機能パネル５の上面が面一となるようにしてあるが、本実施形態においては、横桟２の上部の水下側の角部の機能パネル支持部９の段落の深さを、水上側の角部に設けた機能パネル支持部９の段落の深さよりも深くし、図１４に示すように、水下側の機能パネル５の上面の水上側端部が、水上側の機能パネル５の上面の水下側端部よりも下段となるように、水勾配方向に段差ができるように機能パネル５を葺設できるようになっている。他の構成は前述の各実施形態と同様なので省略する。
【図面の簡単な説明】
【００５７】
【図１】本発明の要部拡大断面図である。
【図２】同上の軒先部分の断面図である。
【図３】同上の軒先と反対側の端部の断面図である。
【図４】同上の軒先と平行な方向の端部の断面図である。
【図５】同上の野縁の端部同士を突き合わせた部分の断面図である。
【図６】同上の水の流れを示す説明のための斜視図である。
【図７】同上に用いる上面に野縁を取着したベース板を示し、（ａ）は平面図であり、（ｂ）は正面図であり、（ｃ）は側面図であり、（ｄ）は要部拡大側面図である。
【図８】同上に用いる野縁の一部破断した斜視図である。
【図９】（ａ）（ｂ）（ｃ）（ｄ）は同上の施工順序を示す斜視図である。
【図１０】（ａ）（ｂ）（ｃ）（ｄ）は同上の施工順序を示す斜視図である。
【図１１】（ａ）（ｂ）（ｃ）（ｄ）は同上の施工順序を示す斜視図である。
【図１２】同上の他の実施形態の要部拡大断面図である。
【図１３】同上の更に他の実施形態を示す斜視図である。
【図１４】同上の更に他の実施形態を示す断面図である。
【符号の説明】
【００５８】
１  屋根面
２  横桟
２ａ  水下側の側面部
２ｂ  水上側の側面部
３  ベース板
４  固着具
５  機能パネル
６  水下側突片
７  水上側突片
８  排水空間
【図１】
2010053544.tif 000003
【図２】
2010053544.tif 000004
【図３】
2010053544.tif 000005
【図４】
2010053544.tif 000006
【図５】
2010053544.tif 000007
【図６】
2010053544.tif 000008
【図７】
2010053544.tif 000009
【図８】
2010053544.tif 000010
【図９】
2010053544.tif 000011
【図１０】
2010053544.tif 000012
【図１１】
2010053544.tif 000013
【図１２】
2010053544.tif 000014
【図１３】
2010053544.tif 000015
【図１４】
2010053544.tif 000016